(57)【要約】【課題】製造コストを低減できるようにしたエネルギー回収装置及び方法を提供する。【解決手段】本発明の実施例に係るエネルギー回収装置は、走査電極と維持電極との間に等価的に形成される容量性負荷と、前記容量性負荷に充電されたエネルギーを回収すると共に、回収されたエネルギーを前記容量性負荷に再供給するためのエネルギー回収部と、前記エネルギー回収部と前記容量性負荷との間に設置され、前記エネルギー回収部と前記容量性負荷との間にエネルギーを中継すると共に、前記容量性負荷で安定した放電が発生し得るように前記容量性負荷に基準電圧を供給するためのエネルギー供給部と、前記エネルギー回収部と前記エネルギー供給部との間に設置され、前記エネルギー回収部と前記エネルギー供給部との間にエネルギーを中継するためのエネルギー中継部と、を含む。【選択図】図４
2006098436.tif 000002
【特許請求の範囲】
【請求項１】
走査電極と維持電極との間に等価的に形成される容量性負荷と、
前記容量性負荷に充電されたエネルギーを回収すると共に、回収されたエネルギーを前記容量性負荷に再供給するためのエネルギー回収部と、
前記エネルギー回収部と前記容量性負荷との間に設置され、前記エネルギー回収部と前記容量性負荷との間にエネルギーを中継すると共に、前記容量性負荷で安定した放電が発生し得るように前記容量性負荷に基準電圧を供給するためのエネルギー供給部と、
前記エネルギー回収部と前記エネルギー供給部との間に設置され、前記エネルギー回収部と前記エネルギー供給部との間にエネルギーを中継するためのエネルギー中継部と、を含むことを特徴とするエネルギー回収装置。
【請求項２】
前記エネルギー回収部は、前記容量性負荷から回収されたエネルギーを保存すると共に、この保存されたエネルギーを前記容量性負荷に再供給するためのソースキャパシタと、前記ソースキャパシタと基底電圧源との間に設置され、前記ソースキャパシタに充電されたエネルギーが前記エネルギー中継部に供給される時にターンオンされる第１スイチング素子と、を含むことを特徴とする請求項１記載のエネルギー回収装置。
【請求項３】
前記エネルギー供給部は、前記基準電圧を供給する基準電圧源と接続される第２スイチング素子と、前記第２スイチング素子と前記基底電圧源との間に並列に接続される第３及び第４スイチング素子と、を含むことを特徴とする請求項１記載のエネルギー回収装置。
【請求項４】
前記エネルギー中継部は、少なくとも２つ以上のコイルが磁気的に結合された磁気結合インダクタを含むことを特徴とする請求項１記載のエネルギー回収装置。
【請求項５】
前記磁気結合インダクタは、前記第１スイチング素子と前記ソースキャパシタとの間に設置される第１インダクタと、前記第２スイチング素子と前記第３スイチング素子との間に設置される第２インダクタと、を備えることを特徴とする請求項４記載のエネルギー回収装置。
【請求項６】
前記第３スイチング素子は、前記容量性負荷に充電されたエネルギーを利用して前記第２インダクタが充電される時にターンオンされることを特徴とする請求項３記載のエネルギー回収装置。
【請求項７】
前記第４スイチング素子は、前記容量性負荷に基底電位が供給される時にターンオンされることを特徴とする請求項３記載のエネルギー回収装置。
【請求項８】
前記第１インダクタ及び前記第２インダクタのコイルは、同一の方向に巻回されていることを特徴とする請求項５記載のエネルギー回収装置。
【請求項９】
前記第１インダクタ及び前記第２インダクタのコイルは、相異なる方向に巻回されていることを特徴とする請求項５記載のエネルギー回収装置。
【請求項１０】
安定したサステイン放電が発生し得るような基準電圧を供給するための基準電圧源を含むエネルギー回収方法において、
ソースキャパシタに充電されたエネルギーを利用して磁気結合インダクタの第１インダクタを充電させる第１段階と、
前記第１インダクタにエネルギーが充電される時に前記磁気結合インダクタの第２インダクタにエネルギーが充電される第２段階と、
前記第２インダクタに充電されたエネルギーを、走査電極と維持電極との間に等価的に形成される容量性負荷に供給する第３段階と、を含むことを特徴とするエネルギー回収方法。
【請求項１１】
前記第２インダクタに充電されたエネルギーは、前記第１インダクタに供給されるエネルギーが遮断される時に前記容量性負荷に供給されることを特徴とする請求項１０記載のエネルギー回収方法。
【請求項１２】
前記第２インダクタに充電されるエネルギーは、充電されると共に前記容量性負荷に供給されることを特徴とする請求項１０記載のエネルギー回収方法。
【請求項１３】
前記第３段階で前記容量性負荷に基準電圧が充電されることを特徴とする請求項１０記載のエネルギー回収方法。
【請求項１４】
前記第３段階の以後、前記基準電圧源の電圧値を所定の時間前記容量性負荷に供給する段階をさらに含むことを特徴とする請求項１０記載のエネルギー回収方法。
【請求項１５】
前記エネルギー回収方法は
前記容量性負荷に充電されたエネルギーを利用して前記第２インダクタを充電させる第４段階と、
前記第２インダクタにエネルギーが充電される時に前記第１インダクタにエネルギーが充電される第５段階と、
前記第１インダクタに充電されたエネルギーを利用してソースキャパシタを充電させる第６段階と、をさらに含むことを特徴とする請求項１０記載のエネルギー回収方法。
【請求項１６】
前記第１インダクタに充電されたエネルギーは、前記第２インダクタに供給されるエネルギーが遮断される時に前記ソースキャパシタに供給されることを特徴とする請求項１５記載のエネルギー回収方法。
【請求項１７】
前記第１インダクタに充電されるエネルギーは、充電されると共に前記ソースキャパシタに供給されることを特徴とする請求項１５記載のエネルギー回収方法。
【発明の詳細な説明】
【技術分野】
【０００１】
本発明は、プラズマディスプレイパネルに係り、より詳細には、プラズマディスプレイパネルのエネルギー回収装置及び方法に関する。
【背景技術】
【０００２】
プラズマディスプレイパネル（Plasma Ｄisplay Panel：以下、「ＰＤＰ」という。）は、Ｈｅ＋Ｘｅ、Ｎｅ＋Ｘｅ、またはＨｅ＋Ｎｅ＋Ｘｅなどの不活性混合ガスの放電時に発生する１４７ｎｍの紫外線によって蛍光体を発光させることにより、文字またはグラフィックを含んだ画像を表示するようになる。このようなＰＤＰは、薄膜化および大型化が容易であって、最近の技術開発によって大きく向上した画質を提供する。特に、３電極面放電型ＰＤＰは、放電時に表面に壁電荷が蓄積され、放電によって発生するスパータリングから各電極を保護するので、低電圧での駆動が可能で且つ長寿命であるという長所を有する。
【０００３】
図１は、従来のプラズマディスプレイパネルの放電セル構造を示す斜視図である。図１に示すように、従来のプラズマディスプレイパネルの放電セルは、上部基板１０上に形成された走査電極Ｙおよび維持電極Ｚと、下部基板１８上に形成されたアドレス電極Ｘとを備える。走査電極Ｙおよび維持電極Ｚのそれぞれは、透明電極１２Ｙ、１２Ｚおよび透明電極１２Ｙ、１２Ｚの線幅より小さな線幅を有し、透明電極の一側縁に形成される金属バス電極１３Ｙ、１３Ｚを含む。
【０００４】
透明電極１２Ｙ、１２Ｚは、通常インジウムスズ酸化物（Indium-Ｔin-Oxide：以下、「ＩＴＯ」という）によって上部基板１０上に形成される。金属バス電極１３Ｙ、１３Ｚは、通常クロム（Ｃｒ）などの金属によって透明電極１２Ｙ、１２Ｚ上に形成され、高抵抗の透明電極１２Ｙ、１２Ｚによる電圧降下を減らす役割を果たす。走査電極Ｙと維持電極Ｚとが並んで形成された上部基板１０には、上部誘電体層１４と保護膜１６とが積層される。上部誘電体層１４にはプラズマ放電時に発生した壁電荷が蓄積される。保護膜１６は、プラズマ放電時に発生したスパッタリングによる上部誘電体層１４の損傷を防止すると共に２次電子の放出效率を高める。保護膜１６としては、通常、酸化マグネシウム（ＭｇＯ）が用いられる。
【０００５】
アドレス電極Ｘの形成された下部基板１８上には、下部誘電体層２２と隔壁２４とが形成され、該下部誘電体層２２および隔壁２４の表面には、蛍光体層２６が塗布される。アドレス電極Ｘは、走査電極Ｙおよび維持電極Ｚと交差する方向に形成される。隔壁２４はストライプ（Stripe）または格子型に形成され、放電によって生成された紫外線および可視光が隣接した放電セルに漏洩することを防止する。蛍光体層２６はプラズマ放電時に発生した紫外線によって励起され、赤色、緑色または青色の中のいずれか一つの可視光線を発生するようになる。上／下部基板１０、１８と隔壁２４との間に設けられた放電セルの放電空間には、不活性混合ガスが注入される。
【０００６】
かかる３電極面放電型ＰＤＰは、多数のサブフィールドに分離されて駆動され、各サブフィールド期間ではビデオデータの加重値に比例した回数の発光が進行されることにより、階調表示が行われるようになる。多数のサブフィールドは再び、リセット期間、アドレス期間、サステイン期間および消去期間に分割されて駆動される。
ここで、リセット期間は放電セルに均一な壁電荷を形成する期間であり、アドレス期間はビデオデータの論理値によって選択的なアドレス放電が発生するようにする期間であり、サステイン期間は前記アドレス放電が発生した放電セルにおいて放電が維持されるようにする期間である。
【０００７】
このように駆動される交流面放電型ＰＤＰのアドレス放電およびサステイン放電には、数百ボルト以上の高圧が必要となる。したがって、アドレス放電およびサステイン放電に必要な駆動電力を最小化するためにエネルギー回収装置が用いられる。エネルギー回収装置は走査電極Ｙおよび維持電極Ｚの間の電圧を回収し、該回収された電圧を次回の放電時の駆動電圧として用いる。
【０００８】
図２は、サステイン放電電圧を回収するために走査電極Ｙに形成されたエネルギー回収装置を示す図である。実際にエネルギー回収装置はパネルキャパシタＣｐを中心に維持電極Ｚにも対称的に設置される。
図２に示すように、、従来のエネルギー回収装置は、パネルキャパシタＣｐとソースキャパシタＣｓとの間に接続されたインダクタＬと、ソースキャパシタＣｓとインダクタＬとの間に並列に接続された第１及び第３スイッチＳ１、Ｓ３と、第１及び第３スイッチＳ１、Ｓ３とインダクタＬとの間に設置されるダイオードＤ５、Ｄ６と、インダクタＬとパネルキャパシタＣｐとの間に並列に接続された第２及び第４スィッチＳ２、Ｓ４と、を備える。
【０００９】
前記パネルキャパシタＣｐは、走査電極Ｙと維持電極Ｚとの間に形成される静電容量を等価的に表したものである。第２スイッチＳ２は基準電圧源Ｖｓに接続され、第４スイッチＳ４は基底電圧源ＧＮＤに接続される。ソースキャパシタＣｓはサステイン放電時にパネルキャパシタＣｐに充電される電圧を回収して充電すると共に、充電された電圧をパネルキャパシタＣｐに再供給する。
【００１０】
このために、ソースキャパシタＣｓには基準電圧源Ｖｓの半分値にあたるＶｓ／２の電圧が充電できるようになっている。インダクタＬはパネルキャパシタＣｐと共に共振回路を形成する。第１〜第４スイッチＳ１〜Ｓ４は電流の流れを制御する。第５および第６ダイオードＤ５、Ｄ６は、電流が逆方向に流れることを防止する。同時に、第１〜第４スイッチＳＩ〜Ｓ４にそれぞれ設置された内部ダイオードＤ１〜Ｄ４も逆電流の流れを防止する。
【００１１】
図３は、図２に示した各スイッチのオン／オフタイミングとパネルキャパシタの出力波形とを示すタイミング図および波形図である。
Ｔ１期間の以前に、パネルキャパシタＣｐには０Ｖの電圧が充電されると共に、ソースキャパシタＣｓにはＶｓ／２の電圧が充電されていると仮定して、動作過程を詳しく説明する。
【００１２】
Ｔ１期間では、第１スイッチＳ１がターンオン（Turn-on）され、ソースキャパシタＣｓから第１スイッチＳ１、インダクタＬおよびパネルキャパシタＣｐに繋がる電流パスが形成される。電流パスが形成されると、ソースキャパシタＣｓに充電された電圧がパネルキャパシタＣｐに供給される。このとき、インダクタＬとパネルキャパシタＣｐとが直列共振回路を形成するので、パネルキャパシタＣｐにはソースキャパシタＣｓの２倍であるＶｓ電圧が充電される。
【００１３】
Ｔ２期間では、第２スイッチＳ２がターンオンされる。第２スイッチＳ２がターンオンされると、基準電圧源Ｖｓの電圧がパネルキャパシタＣｐに供給される。すなわち、第２スイッチＳ２がターンオンされると、基準電圧源Ｖｓの電圧値がパネルキャパシタＣｐに供給され、パネルキャパシタＣｐの電圧値が基準電圧源Ｖｓ以下に落ちることを防止し、これにより安定したサステイン放電が発生するようになる。ここで、パネルキャパシタＣｐの電圧はＴ１期間中にＶｓまで上昇したので、Ｔ２期間中に外部から供給される電圧値は最小化される。すなわち、電力消費の低減が可能になる。
【００１４】
Ｔ３期間では、第１スイッチＳ１がターンオフされる。このとき、パネルキャパシタＣｐは基準電圧源Ｖｓの電圧を維持する。Ｔ４期間では、第２スイッチＳ２がターンオフされると共に第３スイッチＳ３がターンオンされる。第３スイッチＳ３がターンオンされると、パネルキャパシタＣｐからインダクタＬおよび第３スイッチＳ３を介してソースキャパシタＣｓに繋がる電流パスが形成され、パネルキャパシタＣｐに充電された電圧がソースキャパシタＣｓに回収される。このとき、ソースキャパシタＣｓにはＶｓ／２の電圧が充電される。
【００１５】
Ｔ５期間では、第３スイッチＳ３がターンオフされると共に第４スイッチＳ４がターンオンされる。第４スイッチＳ４がターンオンされると、パネルキャパシタＣｐと基底電圧源ＧＮＤとの間に電流パスが形成され、パネルキャパシタＣｐの電圧が０Ｖに降下する。Ｔ６期間では、所定の時間Ｔ５状態を維持する。実際に、走査電極Ｙおよび維持電極Ｚに供給される交流駆動パルスは、Ｔ１〜Ｔ６期間が周期的に繰り返されながら得られる。
【００１６】
しかし、このような従来のエネルギー回収装置を設置するためには多くの製造コストが要求される。これを詳しく説明すれば、従来のエネルギー回収装置に用いられる素子（ダイオード、スイチング素子など）は基準電圧源Ｖsの電圧値を耐えることができる耐圧を有する必要がある。しかも、第５及び第６ダイオードＤ５、Ｄ６は迅速な応答速度を有する必要がある。したがって、従来には迅速な応答速度及び高い耐圧を持つ多数の素子を用いる必要があるため、多くの製造コストがかかるという短所があった。
【発明の開示】
【発明が解決しようとする課題】
【００１７】
本発明は、かかる従来の問題点を解決するためのもので、その目的は、製造コストを低減できるようにしたエネルギー回収装置及び方法を提供することにある。
【課題を解決するための手段】
【００１８】
本発明の実施例に係るエネルギー回収装置は、走査電極と維持電極との間に等価的に形成される容量性負荷と、前記容量性負荷に充電されたエネルギーを回収すると共に、回収されたエネルギーを前記容量性負荷に再供給するためのエネルギー回収部と、前記エネルギー回収部と前記容量性負荷との間に設置され、前記エネルギー回収部と前記容量性負荷との間にエネルギーを中継すると共に、前記容量性負荷で安定した放電が発生し得るように前記容量性負荷に基準電圧を供給するためのエネルギー供給部と、前記エネルギー回収部と前記エネルギー供給部との間に設置され、前記エネルギー回収部と前記エネルギー供給部との間にエネルギーを中継するためのエネルギー中継部と、を含むことを特徴とする。
【００１９】
また、前記エネルギー回収部は、前記容量性負荷から回収されたエネルギーを保存すると共に、この保存されたエネルギーを前記容量性負荷に再供給するためのソースキャパシタと、前記ソースキャパシタと基底電圧源との間に設置され、前記ソースキャパシタに充電されたエネルギーが前記エネルギー中継部に供給される時にターンオンされる第１スイチング素子と、を含むことを特徴とする。
【００２０】
また、前記エネルギー供給部は、前記基準電圧を供給する基準電圧源と接続される第２スイチング素子と、前記第２スイチング素子と前記基底電圧源との間に並列に接続される第３及び第４スイチング素子と、を含むことを特徴とする。
また、前記エネルギー中継部は、少なくとも２つ以上のコイルが磁気的に結合された磁気結合インダクタを含むことを特徴とする。
【００２１】
また、前記磁気結合インダクタは、前記第１スイチング素子と前記ソースキャパシタとの間に設置される第１インダクタと、前記第２スイチング素子と前記第３スイチング素子との間に設置される第２インダクタと、を備えることを特徴とする。
また、前記第３スイチング素子は、前記容量性負荷に充電されたエネルギーを利用して前記第２インダクタが充電される時にターンオンされることを特徴とする。
【００２２】
また、前記第４スイチング素子は、前記容量性負荷に基底電位が供給される時にターンオンされることを特徴とする。
また、前記第１インダクタ及び前記第２インダクタのコイルは、同一の方向に巻回されていることを特徴とする。
また、前記第１インダクタ及び前記第２インダクタのコイルは、相異なる方向に巻回されていることを特徴とする。
【００２３】
本発明の実施例に係るエネルギー回収方法は、ソースキャパシタに充電されたエネルギーを利用して磁気結合インダクタの第１インダクタを充電させる第１段階と、前記第１インダクタにエネルギーが充電される時に前記磁気結合インダクタの第２インダクタにエネルギーが充電される第２段階と、前記第２インダクタに充電されたエネルギーを、走査電極と維持電極との間に等価的に形成される容量性負荷に供給する第３段階と、を含むことを特徴とする。
【００２４】
また、前記第２インダクタに充電されたエネルギーは、前記第１インダクタに供給されるエネルギーが遮断される時に前記容量性負荷に供給されることを特徴とする。
また、前記第２インダクタに充電されるエネルギーは、充電されると共に前記容量性負荷に供給されることを特徴とする。
また、前記第３段階で前記容量性負荷に基準電圧が充電されることを特徴とする。
【００２５】
また、前記第３段階の以後、前記基準電圧源の電圧値を所定の時間前記容量性負荷に供給する段階をさらに含むことを特徴とする。
また、前記エネルギー回収方法は、前記容量性負荷に充電されたエネルギーを利用して前記第２インダクタを充電させる第４段階と、前記第２インダクタにエネルギーが充電される時に前記第１インダクタにエネルギーが充電される第５段階と、前記第１インダクタに充電されたエネルギーを利用してソースキャパシタを充電させる第６段階と、をさらに含むことを特徴とする。
【００２６】
また、前記第１インダクタに充電されたエネルギーは、前記第２インダクタに供給されるエネルギーが遮断される時に前記ソースキャパシタに供給されることを特徴とする。
また、前記第１インダクタに充電されるエネルギーは、充電されると共に前記ソースキャパシタに供給されることを特徴とする。
【発明の効果】
【００２７】
本発明に係るエネルギー回収装置及び方法によれば、変圧器を設置してソースキャパシタ及びパネルキャパシタの間のエネルギーを中継するので、ダイオードを追加設置する必要がなく、これにより製造コストを低減することができる。
【発明を実施するための最良の形態】
【００２８】
以下、添付図を参照して本発明の実施例を具体的に説明する。
図４は、本発明の実施例に係るエネルギー回収装置を示す図である。図４ではパネルキャパシタＣｐの一側にのみエネルギー回収装置を図示したが、実際にエネルギー回収装置はパネルキャパシタＣｐを中心に対称的に両側面にそれぞれ設置される。
図４に示すように、本発明の実施例に係るエネルギー回収装置は、エネルギー（電圧及び／または電流）回収部３０、エネルギー供給部３２及びエネルギー中継部３４と、を備える。
【００２９】
エネルギー回収部３０は、エネルギー供給部３２からエネルギーを回収すると共に、回収されたエネルギーをエネルギー供給部３２に再供給する。このために、エネルギー回収部３０はソースキャパシタＣｓと第１スィッチＳ１とを備える。ソースキャパシタＣｓは、サステイン放電時にパネルキャパシタＣｐに充電される電圧を回収して充電すると共に、充電された電圧をパネルキャパシタＣｐに再供給する。第１スィッチＳ１は、エネルギーがエネルギー中継部３４に供給される時にターンオンされる。ここで、第１スィッチＳ１には逆電流を防止するための内部ダイオードＤ１が設置される。第１スィッチＳ１及びソースキャパシタＣｐとの間にはエネルギー中継部３４が設置される。
【００３０】
エネルギー供給部３２は、基準電圧源Ｖs、基底電圧源ＧＮＤ及びパネルキャパシタＣｐに接続される。前記エネルギー供給部３２は、エネルギー中継部３４から供給されるエネルギーをパネルキャパシタＣｐに供給すると共に、パネルキャパシタＣｐから供給されるエネルギーをエネルギー中継部３４に再供給する。また、エネルギー供給部３２は、基準電圧源Ｖsの電圧値をパネルキャパシタＣｐに供給する。
【００３１】
このために、エネルギー供給部３２は、基準電圧源Ｖsに接続される第３スィッチＳ３と、第３スィッチＳ３と基底電圧源ＧＮＤとの間に並列に接続される第２及び第４スィッチＳ２、Ｓ４と、を備える。第２スィッチＳ２及び第３スィッチＳ３の間にはエネルギー中継部３４が設置される。第３スィッチＳ３は、パネルキャパシタＣｐに基準電圧Ｖsが供給される時にターンオンされる。第２スィッチＳ２は、パネルキャパシタＣｐに充電された電圧がエネルギー回収部３０に回収される時にターンオンされる（正確にパネルキャパシタＣｐに充電されたエネルギーがエネルギー中継部３４に供給される時にターンオンされる）。第４スィッチＳ４は、パネルキャパシタＣｐに基底電圧ＧＮＤが供給される時にターンオンされる。第２〜第４スィッチＳ２〜Ｓ４のそれぞれには、逆電流を防止するための内部ダイオードＤ２〜Ｄ４が設置される。
【００３２】
エネルギー中継部３４は、エネルギー回収部３０及びエネルギー供給部３２の間に設置されてエネルギーを中継する。このために、エネルギー中継部３４は変圧器（Ｔransformer）を備える。変圧器は、エネルギー回収部３０に設置される第１インダクタＬ１（ＣｓとＳ１との間に設置）と、エネルギー供給部３２に設置される第２インダクタＬ２（Ｓ２とＣｐとの間に設置）と、を備える。第１インダクタＬ１及び第２インダクタＬ２のコイルは互いに逆方向に巻回されている。また、第１インダクタＬ１及び第２インダクタＬ２の巻線比は、エネルギー伝達を容易に行えるように実験的に設定される。一方、パネルキャパシタＣｐは、走査電極と維持電極との間に形成される静電容量を等価的に表したものである。
【００３３】
図５は、図４に示した各スィッチのオン／オフタイミングとパネルキャパシタの出力波形とを示すタイミング図及び波形図である。
Ｔ１期間の以前に、パネルキャパシタＣｐには０ボルトの電圧が充電されると共に、ソースキャパシタＣｓには所定の電圧が充電されていると仮定して、動作過程を詳しく説明する。
【００３４】
Ｔ１期間では、第１スィッチＳ１がターンオンされる。第１スィッチＳ１がターンオンされると、ソースキャパシタＣｓから変圧器の第１インダクタＬ１及び第１スィッチＳ１に繋がる電流パスが形成される。このとき、第１インダクタＬ１にはソースキャパシタＣｓから供給される電流（またはエネルギー）が充電される。一方、第１インダクタＬ１に電流が充電される時に第２インダクタＬ２にも電流が充電される。しかし、第１インダクタＬ１及び第２インダクタＬ２のコイルが互いに逆方向に巻回されているので、第２インダクタＬ２に充電された電流はパネルキャパシタＣｐに供給できない（ここで、第２スィッチＳ２の内部ダイオードＤ２が逆方向に位置されるため、第１インダクタＬ２に充電された電流が基底電圧源ＧＮＤに供給されない）。
【００３５】
Ｔ２期間では、第１スィッチＳ１がターンオフされる。すなわち、第１インダクタＬ１に所定の電流が充電されると（言い換えれば、第１インダクタＬ１の電流が所定値に達すると）第１スィッチＳ１がターンオフされる。第１スィッチＳ１がターンオフされると、第２インダクタＬ２の極性が反転する。このとき、第２インダクタＬ２に充電された電流はパネルキャパシタＣｐに供給される（第２スィッチＳ２の内部ダイオードＤ２が順方向に位置されるため、電流パスが形成される）。このようなＴ２期間はパネルキャパシタＣｐにＶsの電圧値が充電されるまで持続される。
【００３６】
Ｔ３期間では、第３スィッチＳ３がターンオンされる。第３スィッチＳ３がターンオンされると、基準電圧源Ｖsの電圧値がパネルキャパシタＣｐに供給され、パネルキャパシタＣｐの電圧値が基準電圧源Ｖs以下に落ちるのが防止され、これにより安定したサステイン放電が発生するようになる。ここで、パネルキャパシタＣｐの電圧値はＴ２期間においてＶsまで上昇したので、Ｔ３期間中に外部から供給される電圧値が最小化される（すなわち、電力消費の低減が可能になる）。
【００３７】
Ｔ４期間では、第２スィッチＳ２がターンオンされる。第２スィッチＳ２がターンオンされると、パネルキャパシタＣｐ、第２インダクタＬ２、第２スィッチＳ２に繋がる電流パスが形成され、パネルキャパシタＣｐに充電された電圧が第２インダクタＬ２に供給される。このとき、第２インダクタＬ２には所定の電流が充電される。一方、第２インダクタＬ２に電流が充電される時に第１インダクタＬ１にも電流が充電される。しかし、第２インダクタＬ２及び第１インダクタＬ１のコイルが互いに逆方向に巻回されているので、第１インダクタＬ１に充電された電流はソースキャパシタＣｓに供給できない（ここで、第１スィッチＳ１の内部ダイオードＤ１が逆方向に位置されるため、第１インダクタＬ１に充電された電流が基底電圧源ＧＮＤに供給されない）。
【００３８】
Ｔ５期間では、第２スィッチＳ２がターンオフされる。第２スィッチＳ２がターンオフされると、第１インダクタＬ１の極性が反転する。このとき、第１インダクタＬ１に充電された電流はソースキャパシタＣｓに供給される（第１スィッチＳ１の内部ダイオードＤ１が順方向に位置されるため、電流パスが形成される）。すなわち、ソースキャパシタＣｓはパネルキャパシタＣｐから変圧器を経由してエネルギーを回収するようになる。
【００３９】
Ｔ６期間では、第４スィッチＳ４がターンオンされる。第４スィッチＳ４がターンオンされると、パネルキャパシタＣｐが基底電圧源ＧＮＤと接続される。実際、パネルキャパシタＣｐの両側に設置された本発明のエネルギー回収装置は、Ｔ１〜Ｔ６の期間を交互に繰り返しながらパネルキャパシタＣｐに交流駆動パルスを供給する。
一方、本発明のエネルギー回収装置は、図２に示した従来のエネルギー回収装置に比べて２個のダイオードＤ５、Ｄ６の設置を省略することができる。ここで、本発明では、２個のダイオードＤ５、Ｄ６の代わりに変圧器が設置されるが、このような変圧器は高い耐圧を有するダイオードＤ５、Ｄ６より設置コストが低い。したがって、本発明のエネルギー回収装置を用いると製造コストが低減される。
【００４０】
図６は、本発明の他の実施例に係るエネルギー回収装置を示す図である。図６ではパネルキャパシタＣｐの一側にのみエネルギー回収装置を図示したが、実際にエネルギー回収装置は、パネルキャパシタＣｐを中心に対称的に両側面にそれぞれ設置される。
図６に示すように、本発明の他の実施例に係るエネルギー回収装置は、エネルギー（電圧及び／または電流）回収部４０、エネルギー供給部４２及びエネルギー中継部４４を備える。
【００４１】
エネルギー回収部４０は、エネルギー供給部４２からエネルギーを回収すると共に、回収されたエネルギーをエネルギー供給部４２に再供給する。このために、エネルギー回収部４０はソースキャパシタＣｓと第１スィッチＳ１とを備える。ソースキャパシタＣｓは、サステイン放電時にパネルキャパシタＣｐに充電される電圧を回収して充電すると共に、充電された電圧をパネルキャパシタＣｐに再供給する。第１スィッチＳ１は、エネルギーがエネルギー中継部４４に供給される時にターンオンされる。ここで、第１スィッチＳ１には、逆電流を防止するための内部ダイオードＤ１が設置される。第１スィッチＳ１及びソースキャパシタＣｐとの間には、エネルギー中継部４４が設置される。
【００４２】
エネルギー供給部４２は、基準電圧源Ｖs、基底電圧源ＧＮＤ及びパネルキャパシタＣｐに接続される。このようなエネルギー供給部４２は、エネルギー中継部４４から供給されるエネルギーをパネルキャパシタＣｐに供給すると共に、パネルキャパシタＣｐから供給されるエネルギーをエネルギー中継部４４に再供給する。また、エネルギー供給部４２は、基準電圧源Ｖsの電圧値をパネルキャパシタＣｐに供給する。
【００４３】
このために、エネルギー供給部４２は、基準電圧源Ｖsに接続される第３スィッチＳ３と、第３スィッチＳ３と基底電圧源ＧＮＤとの間に並列に接続される第２及び第４スィッチＳ２、Ｓ４と、を備える。第２スィッチＳ２及び第３スィッチＳ３の間にはエネルギー中継部４４が設置される。第３スィッチＳ３は、基準電圧ＶsがパネルキャパシタＣｐに供給される時にターンオンされる。第２スィッチＳ２は、パネルキャパシタＣｐに充電された電圧がエネルギー回収部３０に回収される時にターンオンされる（正確にパネルキャパシタＣｐに充電されたエネルギーがエネルギー中継部４４に供給される時にターンオンされる）。第４スィッチＳ４は、パネルキャパシタＣｐに基底電圧ＧＮＤが供給される時にターンオンされる。第２〜第４スィッチＳ２のそれぞれには、逆電流を防止するための内部ダイオードＤ２〜Ｄ４が設置される。
【００４４】
エネルギー中継部４４は、エネルギー回収部４０及びエネルギー供給部４２の間に設置されてエネルギーを中継する。このために、エネルギー中継部４４は変圧器（Transformer）を備える。変圧器は、エネルギー回収部４０に設置される第１インダクタＬ１（ＣｓとＳ１との間に設置）と、エネルギー供給部４２に設置される第２インダクタＬ２（Ｓ２とＣｐとの間に設置）と、を備える。第１インダクタＬ１及び第２インダクタＬ２のコイルは互いに同一の方向に巻回されている。また、第１インダクタＬ１及び第２インダクタＬ２の巻線比は、エネルギー伝達を容易に行えるように実験的に設定される。一方、パネルキャパシタＣｐは、走査電極と維持電極との間に形成される静電容量を等価的に表したものである。
【００４５】
図７は、図６に示した各スィッチのオン／オフタイミングとパネルキャパシタの出力波形とを示すタイミング図及び波形図である。
Ｔ１期間の以前に、パネルキャパシタＣｐには０ボルトの電圧が充電されると共に、ソースキャパシタＣｓには所定の電圧が充電されていると仮定して、動作過程を詳しく説明する。
【００４６】
Ｔ１期間では、第１スィッチＳ１がターンオンされる。第１スィッチＳ１がターンオンされると、ソースキャパシタＣｓから変圧器の第１インダクタＬ１及び第１スィッチＳ１に繋がる電流パスが形成される。このとき、第１インダクタＬ１には、ソースキャパシタＣｓから供給される電流（またはエネルギー）が充電される。一方、第１インダクタＬ１に電流が充電される時に第２インダクタＬ２にも電流が充電される。このとき、第１インダクタＬ１及び第２インダクタＬ２のコイルが同一の方向に巻回されているので、第２インダクタＬ２に充電された電流はパネルキャパシタＣｐに供給される（ここで、第２スィッチＳ２の内部ダイオードＤ２が順方向に位置されるため、電流パスが形成される）。このようなＴ１期間はパネルキャパシタＣｐにＶsの電圧値が充電されるまで持続される。
【００４７】
Ｔ２期間では、第３スィッチＳ３がターンオンされる。第３スィッチＳ３がターンオンされると、基準電圧源Ｖsの電圧値がパネルキャパシタＣｐに供給され、パネルキャパシタＣｐの電圧値が基準電圧源Ｖs以下に落ちるのが防止され、これにより安定したサステイン放電が発生するようになる。ここで、パネルキャパシタＣｐの電圧値はＴ１期間にＶsまで上昇したので、Ｔ２期間中に外部から供給される電圧値が最小化される（すなわち、電力消費の低減が可能になる）。
【００４８】
Ｔ３期間では、第２スィッチＳ２がターンオンされる。第２スィッチＳ２がターンオンされると、パネルキャパシタＣｐ、第２インダクタＬ２、第２スィッチＳ２に繋がる電流パスが形成され、パネルキャパシタＣｐに充電されたエネルギーが第２インダクタＬ２に供給される。このとき、第２インダクタＬ２には所定の電流が充電される。一方、第２インダクタＬ２に電流が充電される時に第１インダクタＬ１にも電流が充電される。このとき、第２インダクタＬ２及び第１インダクタＬ１のコイルが互いに同一の方向に巻回されているので、第１インダクタＬ１に充電された電流はソースキャパシタＣｓに供給される（ここで、第１スィッチＳ１の内部ダイオードＤ１が順方向に位置されるため、電流パスが形成される）。すなわち、ソースキャパシタＣｓはパネルキャパシタＣｐから変圧器を経てエネルギーを回収する。
【００４９】
Ｔ４期間では、第４スィッチＳ４がターンオンされる。第４スィッチＳ４がターンオンされると、パネルキャパシタＣｐが基底電圧源ＧＮＤと接続される。実際、パネルキャパシタＣｐの両側に設置された本発明のエネルギー回収装置は、Ｔ１〜Ｔ４の期間を交互に繰り返しながらパネルキャパシタＣｐに交流駆動パルスを供給する。
一方、本発明の他の実施例に係るエネルギー回収装置は、図２に示した従来のエネルギー回収装置に比べて２個のダイオードＤ５、Ｄ６の設置を省略することができる。ここで、本発明では、２個のダイオードＤ５、Ｄ６の代わりに変圧器３４が設置されるが、このような変圧器３４は高い耐圧を有するダイオードＤ５、Ｄ６より設置コストが低い。したがって、本発明のエネルギー回収装置を用いると製造コストを低減することができる。
【図面の簡単な説明】
【００５０】
【図１】従来のプラズマディスプレイパネルの放電セルの構造を示す斜視図である。
【図２】サステイン放電電圧を回収するために走査電極Ｙに形成されたエネルギー回収装置を示す図である。
【図３】図２に示した各スィッチのオン／オフタイミングとパネルキャパシタの出力波形とを示すタイミング図及び波形図である。
【図４】本発明の実施例に係るエネルギー回収装置を示す図である。
【図５】図４に示した各スィッチのオン／オフタイミングとパネルキャパシタの出力波形とを示すタイミング図及び波形図である。
【図６】本発明の他の実施例に係るエネルギー回収装置を示す図である。
【図７】図６に示した各スィッチのオン／オフタイミングとパネルキャパシタの出力波形とを示すタイミング図及び波形図である。
【図１】
2006098436.tif 000003
【図２】
2006098436.tif 000004
【図３】
2006098436.tif 000005
【図４】
2006098436.tif 000006
【図５】
2006098436.tif 000007
【図６】
2006098436.tif 000008
【図７】
2006098436.tif 000009